(57)【要約】【課題】施錠操作部材が固定位置とされて確実に連結されていることをより容易に確認することができるようにした継手部材を提供する。【解決手段】ソケット（継手部材）１０は、筒状のソケット本体１６と、Ｕ字状の施錠部材１８と、ソケット本体１６の上部で回動可能に取り付けられた施錠操作部材２０と、ソケット本体１６に対して摺動可能に取り付けられる連結確認部材５２とを備える。連結確認部材５２は、施錠操作部材２０が解除位置にあるときには施錠操作部材２０の突部３８と干渉してその上に乗り、施錠操作部材２０が固定位置にあるときには施錠操作部材２０の突部３８が凹部６０に受け入れられて下方に下がる。これにより連結確認部材５２は連結確認位置となり、接触センサ６２がソケット本体１６に接触して検知信号を発する。【選択図】図１６
2019199924.tif 000002
【特許請求の範囲】
【請求項１】
対応継手部材を着脱可能に連結する継手部材であって、
対応継手部材を受け入れる通路を有する筒状の継手本体と、
該継手本体に取り付けられ、該通路内に受け入れた対応継手部材に係合して該対応継手部材を該通路内に保持する施錠状態と、該対応継手部材の保持を解除する解錠状態とを有する施錠部材と、
該継手本体に取り付けられ、該施錠部材が該解錠状態になることを阻止する固定位置と、該施錠部材が該解錠状態になることを許容する解除位置との間で変位可能とされた施錠操作部材と、
該継手本体に対して変位可能とされ、該施錠操作部材が該固定位置にあるときには該施錠操作部材が該固定位置にあることを示す所定の表示がなされる連結表示位置にまで変位可能となり、該施錠操作部材が該解除位置にあるときには該連結表示位置にまで変位することが阻止される連結確認部材と、
を備えた継手部材。
【請求項２】
該継手本体が径方向で貫通する２つの開口を有し、
該施錠部材が、該継手本体の外側周囲に位置し周方向で相互に離間して対向する第１及び第２端部と、該第１及び第２端部から延び該開口を通って該通路内に部分的に入る第１及び第２施錠部とを有し、該施錠状態においては該第１及び第２施錠部が該継手部材の該通路内に受け入れられた該対応継手部材の外周面に係合して該対応継手部材を保持し、該解錠状態においては該第１及び第２施錠部が該継手本体の径方向外側に変位して該外周面との係合が解除されるようにされ、
該施錠操作部材は、該継手本体の径方向に延びる回転軸線の周りで該継手本体に対して回動可能とされ、該固定位置においては、該施錠状態にある該施錠部材の該第１及び第２端部に係合して該第１及び第２施錠部が径方向外側に変位することを阻止するようにされた、請求項１に記載の継手部材。
【請求項３】
該施錠操作部材が、該回転軸線の方向で該継手本体から外側に離れる方向に突出した突部を有し、
該連結確認部材が、該施錠操作部材に係合する係合面と、該係合面から外側に向かって窪んだ凹部と、を有し、
該施錠操作部材が該解除位置にあるときには、該施錠操作部材の該突部が該連結確認部材の該係合面と干渉して該連結確認部材が該連結表示位置にまで変位することが阻止され、該施錠操作部材が該固定位置にあるときには、該突部が該凹部と整合する位置となって該凹部内に受け入れられることにより連結確認部材が該連結表示位置にまで変位可能となるようにされた、請求項２に記載の継手部材。
【請求項４】
該連結確認部材が該連結表示位置にある状態で該施錠操作部材を該固定位置から該解除位置に向かって回動させたときに、該突部が該凹部の側面に係合して、該施錠操作部材が該解除位置にまで回動することが阻止されるようにされた、請求項３に記載の継手部材。
【請求項５】
該連結確認部材が、該係合面を有する中央部と、該中央部の両側から該回転軸線の方向で互いに略平行に延びる脚部とを有し、該脚部が該継手本体に対して摺動可能に保持されて、該連結確認部材が該回転軸線の方向で該継手本体に対して変位可能となるようにされた、請求項３又は４に記載の継手部材。
【請求項６】
該施錠部材が該解錠状態にあるときには、該連結確認部材の該脚部が該施錠部材に干渉して、該連結確認部材を該継手本体に取り付けられないようにされた、請求項５に記載の継手部材。
【請求項７】
該連結確認部材に取り付けられ、該連結確認部材が該連結表示位置となったことを検知するセンサをさらに備え、該所定の表示が該センサの検知信号である、請求項１乃至６のいずれか一項に記載の継手部材。
【請求項８】
該センサが接触センサであり、該連結確認部材が該連結表示位置になったときに、該センサが該継手本体と該施錠操作部材とのうちの少なくとも一方と接触して該検知信号を発するようにされた、請求項７に記載の継手部材。
【請求項９】
請求項１乃至８のいずれか一項に記載の継手部材と、
該継手部材の該通路内に受け入れられて該継手部材に着脱可能に連結される対応継手部材と、を備える管継手。
【発明の詳細な説明】
【技術分野】
【０００１】
本発明は、管継手及びその継手部材に関し、特に、連結が適切になされていることを確認するための連結確認部材を備える継手部材に関する。
【背景技術】
【０００２】
例えば特許文献1に示されるソケット（雌型継手部材）とプラグ（対応する雄型継手部材）とからなる管継手は、ソケット内にプラグを挿入することにより略Ｕ字状の施錠部材がプラグの外周面に形成された係止部に係合して、プラグがソケットに保持されるようになっている。この状態でも連結状態は一応保持されるが、ソケットとプラグとを引き離す方向に大きな力が作用すると、施錠部材が開いて連結が解除される可能性がある。そのため、この管継手は施錠部材が開く方向に変形するのを阻止するための施錠操作部材を備えており、連結状態において施錠操作部材を固定位置とすることにより施錠部材を開かなくして、誤って連結が解除されることをより確実に防止するようになっている。
【先行技術文献】
【特許文献】
【０００３】
【特許文献１】特開２０１４−１４２０１１号公報
【発明の概要】
【発明が解決しようとする課題】
【０００４】
上述の管継手は主に食品用配管において利用されるものであるが、食品用配管は比較的に短い周期で内部洗浄を行う必要があるため、そこに使われる管継手は頻繁に着脱されることになる。管継手を連結する際には、毎回、施錠操作部材を固定位置にして確実な連結状態とすることが要求されるが、作業者の不注意などにより施錠操作部材の操作が適切に行われず不完全な連結状態のままとされる場合も有りうる。特に着脱が頻繁に行われる場合には、そのような状況が生じる可能性が高くなる。配管に流体を流す前に一つ一つ管継手を目視して施錠操作部材が固定位置にあるかを確認すればそのような状況をある程度防止することも可能であるが、施錠操作部材が固定位置にあるかどうかは必ずしも確認しやすいものではないため目視確認でも見落とす虞がある。
【０００５】
そこで本発明は、施錠操作部材が固定位置とされて確実に連結されていることをより容易に確認することができるようにした継手部材、及びそのような継手部材とそれに着脱可能に連結される対応継手部材とを備える管継手を提供することを目的とする。
【課題を解決するための手段】
【０００６】
すなわち本発明は、
対応継手部材を着脱可能に連結する継手部材であって、
対応継手部材を受け入れる通路を有する筒状の継手本体と、
該継手本体に取り付けられ、該通路内に受け入れた対応継手部材に係合して該対応継手部材を該通路内に保持する施錠状態と、該対応継手部材の保持を解除する解錠状態とを有する施錠部材と、
該継手本体に取り付けられ、該施錠部材が該解錠状態になることを阻止する固定位置と、該施錠部材が該解錠状態になることを許容する解除位置との間で変位可能とされた施錠操作部材と、
該継手本体に対して変位可能とされ、該施錠操作部材が該固定位置にあるときには該施錠操作部材が該固定位置にあることを示す所定の表示がなされる連結表示位置にまで変位可能となり、該施錠操作部材が該解除位置にあるときには該連結表示位置にまで変位することが阻止される連結確認部材と、
を備えた継手部材を提供する。
【０００７】
当該継手部材においては、施錠操作部材が固定位置にあるときには、施錠操作部材が固定位置にあることを示す所定の表示がなされる連結表示位置にまで変位可能となる連結確認部材を備えている。そのため、施錠操作部材が固定位置にあり対応継手部材を確実に連結した状態であることを該所定の表示に基づいて容易に確認することが可能となる。なお、所定の表示としては、センサの検知信号による表示、ＬＥＤなどによる発光表示、音による表示、所定の文字や着色部が現れる又は隠れることによる表示、などの種々のものが含まれる。
【０００８】
具体的には、
該継手本体が径方向で貫通する２つの開口を有し、
該施錠部材が、該継手本体の外側周囲に位置し周方向で相互に離間して対向する第１及び第２端部と、該第１及び第２端部から延び該開口を通って該通路内に部分的に入る第１及び第２施錠部とを有し、該施錠状態においては該第１及び第２施錠部が該継手部材の該通路内に受け入れられた該対応継手部材の外周面に係合して該対応継手部材を保持し、該解錠状態においては該第１及び第２施錠部が該継手本体の径方向外側に変位して該外周面との係合が解除されるようにされ、
該施錠操作部材は、該継手本体の径方向に延びる回転軸線の周りで該継手本体に対して回動可能とされ、該固定位置においては、該施錠状態にある該施錠部材の該第１及び第２端部に係合して該第１及び第２施錠部が径方向外側に変位することを阻止するようにすることができる。
【０００９】
さらに具体的には、
該施錠操作部材が、該回転軸線の方向で該継手本体から外側に離れる方向に突出した突部を有し、
該連結確認部材が、該施錠操作部材に係合する係合面と、該係合面から外側に向かって窪んだ凹部と、を有し、
該施錠操作部材が該解除位置にあるときには、該施錠操作部材の該突部が該連結確認部材の該係合面と干渉して該連結確認部材が該連結表示位置にまで変位することが阻止され、該施錠操作部材が該固定位置にあるときには、該突部が該凹部と整合する位置となって該凹部内に受け入れられることにより連結確認部材が該連結表示位置にまで変位可能となるようにすることができる。
【００１０】
好ましくは、該連結確認部材が該連結表示位置にある状態で該施錠操作部材を該固定位置から該解除位置に向かって回動させたときに、該突部が該凹部の側面に係合して、該施錠操作部材が該解除位置にまで回動することが阻止されるようにすることができる。
【００１１】
このような構成により、連結状態において施錠操作部材が誤って解除位置となることをより確実に防止することが可能となる。
【００１２】
具体的には、該連結確認部材が、該係合面を有する中央部と、該中央部の両側から該回転軸線の方向で互いに略平行に延びる脚部とを有し、該脚部が該継手本体に対して摺動可能に保持されて、該連結確認部材が該回転軸線の方向で該継手本体に対して変位可能となるようにすることができる。
【００１３】
好ましくは、該施錠部材が該解錠状態にあるときには、該連結確認部材の該脚部が該施錠部材に干渉して、該連結確認部材を該継手本体に取り付けられないようにすることができる。
【００１４】
具体的には、該連結確認部材に取り付けられ、該連結確認部材が該連結表示位置となったことを検知するセンサをさらに備え、該所定の表示が該センサの検知信号であるようにすることができる。
【００１５】
さらに具体的には、該センサが接触センサであり、該連結確認部材が該連結表示位置になったときに、該センサが該継手本体と該施錠操作部材とのうちの少なくとも一方と接触して該検知信号を発するようにすることができる。
【００１６】
さらに本発明は、
上述のいずれかの継手部材と、
該継手部材の該通路内に受け入れられて該継手部材に着脱可能に連結される対応継手部材と、を備える管継手。
【００１７】
以下、本発明に係る管継手の実施形態を添付図面に基づき説明する。
【図面の簡単な説明】
【００１８】
【図１】本発明の一実施形態に係る管継手の非連結状態における側面図である。
【図２】図１の管継手の仮連結状態における側面図である。
【図３】図２のＡ−Ａ線の位置でのソケットの断面図である。
【図４】図２のＡ−Ａ線の位置での管継手の断面図であり、ソケットにプラグが挿入される途中で施錠部材が解錠状態にある状態の図である。
【図５】図２の管継手の仮連結状態における斜視図である。
【図６】図２のＡ−Ａ線の位置での管継手の断面図であり、管継手が図５の仮連結状態にあるときの図である。
【図７】図５の仮連結状態における施錠操作部材と施錠部材の第１及び第２端部との位置関係を示す上面図である。
【図８】図１の管継手の連結完了状態における斜視図である。
【図９】図２のＡ−Ａ線の位置での管継手の断面図であり、管継手が図８の連結完了状態にあるときの図である。
【図１０】図８の連結完了状態における施錠操作部材と施錠部材の第１及び第２端部との位置関係を示す上面図である。
【図１１】施錠操作部材を解放位置としたときの施錠操作部材と施錠部材の第１及び第２端部との位置関係を示す上面図である。
【図１２】連結確認部材の斜視図である。
【図１３】仮連結状態において連結確認部材をソケットに取り付けたときの管継手の斜視図である。
【図１４】図２のＡ−Ａ線の位置での図１３の管継手の断面図である。
【図１５】連結完了状態において連結確認部材をソケットに取り付けたときの管継手の斜視図である。
【図１６】図２のＡ−Ａ線の位置での図１５の管継手の断面図である。
【図１７】図２のＡ−Ａ線の位置での管継手の断面図であり、施錠部材が解錠状態にある状態における連結確認部材と施錠部材との関係を示す図である。
【発明を実施するための形態】
【００１９】
図１及び図２に示すように、本発明に係る管継手１は、ソケット（継手部材）１０とプラグ（対応継手部材）１２とからなる。後述するように、ソケット１０はプラグ１２を受け入れてプラグ１２を着脱可能に連結するようになっている。
【００２０】
ソケット１０は、図１乃至図３に示すように、プラグ１２を受け入れる通路１４（図３）を有する筒状のソケット本体（継手本体）１６と、ソケット本体１６に取り付けられた略Ｕ字状の施錠部材１８と、ソケット本体１６に取り付けられた施錠操作部材２０とを備える。ソケット本体１６は、径方向で貫通する２つの開口２２を有している。施錠部材１８は、図３に示すように、第１端部２４及び第２端部２６と、第１端部２４及び第２端部２６からそれぞれ延びる第１施錠部２８及び第２施錠部３０と、第１施錠部２８と第２施錠部３０とを連結する連結部３１とを有する。第１端部２４及び第２端部２６は、ソケット本体１６の外側周囲に位置し周方向で相互に離間して対向する位置にある。第１施錠部２８及び第２施錠部３０は、第１端部２４及び第２端部２６からそれぞれ開口２２を通ってソケット本体１６の通路１４内に部分的に入るように位置する。施錠部材１８は、連結部３１において、ソケット本体１６の下部に設けられた取付用突起３２に取付ピン３４により着脱可能に固定されている。施錠操作部材２０は、ソケット本体１６の上部に設けられた取付用突起３６に、ソケット本体１６の径方向に延びる回転軸線Ｒの周りでソケット本体１６に対して回動可能に取り付けられている。施錠操作部材２０には、回転軸線Ｒの方向でソケット本体１６から外側に離れる方向に突出した突部３８を有し、この突部３８を把持して回動操作するようになっている。
【００２１】
プラグ１２は、図１から分かるように、その外周面４０に、前方（図で見て左方）に向かって先細となるテーパ面４２と、テーパ面４２の後方（図で見て右方）に位置する段状の係止部４４とを有する。テーパ面４２の前方位置には、ソケット本体１６の内周面４６（図３）と密封係合するシール部材４８が取り付けられている。
【００２２】
プラグ１２をソケット１０の通路１４内に挿入していくと、プラグ１２のテーパ面４２が施錠部材１８の第１施錠部２８及び第２施錠部３０に係合し、施錠部材１８は、図４に示すように第１施錠部２８及び第２施錠部３０が径方向外側に変位した状態（解錠状態）となる。プラグ１２をさらに挿入してテーパ面４２が施錠部材１８を超えると、施錠部材１８の弾性復元力により第１施錠部２８及び第２施錠部３０は径方向内側に戻り、施錠部材１８は、図５及び図６に示すように、第１施錠部２８及び第２施錠部３０がプラグ１２の係止部４４に係合した状態（施錠状態）となる。施錠部材１８がプラグ１２の係止部４４に係合することにより、プラグ１２はソケット１０の通路１４内に保持され、当該管継手１は仮連結状態となる。この仮連結状態では、施錠操作部材２０が解除位置にあり施錠部材１８が解錠状態にまで変形することが許容されているため、ソケット１０とプラグ１２とにまで変形して不の間に引き離す方向での大きな力が作用した場合などに、施錠部材１８が解錠状態（図４）意に連結が解除されることが生じ得る。
【００２３】
図５及び図６の仮連結状態から、施錠操作部材２０を図５及び図７で見て時計回りに回動させると、施錠部材１８の第１端部２４及び第２端部２６が、施錠操作部材２０の摺動内周面４９によって内側に押圧される。施錠操作部材２０を図８乃至図１０に示される固定位置にまで回動させると、施錠部材１８の第１端部２４及び第２端部２６が施錠操作部材２０の固定凹部５０に係止される。第１端部２４及び第２端部２６が固定凹部５０において外側から係止されることにより、第１端部２４及び第２端部２６が外側に変位できなくなる。これにより、第１施錠部２８及び第２施錠部３０も外側に変位できない状態となる。すなわち、施錠操作部材２０を固定位置とすることにより、施錠部材１８が解錠状態になることが阻止され、当該管継手１はソケット１０とプラグ１２との間の連結が確実に保持された連結完了状態となる。
【００２４】
連結を解除する際には、施錠操作部材２０を逆向き（図１０で見て反時計回り）に回動させる。そうすると、施錠操作部材２０の摺動外周面５１が施錠部材１８の第１端部２４及び第２端部２６に係合し、第１端部２４及び第２端部２６が摺動外周面５１によって外側に押圧されていく。施錠操作部材２０を図１１の解放位置にまで回動させると、施錠部材１８は第１施錠部２８及び第２施錠部３０がプラグ１２のテーパ面４２よりも径方向外側にまで変位した解錠状態となる。これにより、施錠部材１８によるプラグ１２の保持が解除され、プラグ１２をソケット１０から取り外すことが可能な状態となる。
【００２５】
ソケット１０はさらに、ソケット本体１６に対して変位可能に取り付けられる連結確認部材５２（図１２）を備える。連結確認部材５２は、中央部５４と、中央部５４の両側から全体として互いに略平行に延びる２つの脚部５６とからなる略Ｕ字状の部材である。中央部５４の下面には、係合面５８と、係合面５８から窪んだ凹部６０とが形成されている。中央部５４には接触センサ６２が固定されており、接触センサ６２の検知部６４が中央部５４の貫通孔６６を通って凹部６０内にまで延びている。
【００２６】
連結確認部材５２は、図１３乃至図１６に示すように、ソケット本体１６の左右のリブ６８と施錠部材１８の第１施錠部２８及び第２施錠部３０との間に脚部５６を摺動挿入するようにしてソケット本体１６に取り付けられる。脚部５６はソケット本体１６に対して摺動可能に保持され、連結確認部材５２は、回転軸線Ｒの方向で変位可能となっている。施錠操作部材２０が解除位置にあるときには、図１３及び図１４に示すように、施錠操作部材２０の突部３８が連結確認部材５２の係合面５８に係合した状態となり、接触センサ６２の検知部６４がどこにも接触しない状態となる。一方で施錠操作部材２０が固定位置にあるときには、図１５及び図１６に示すように、施錠操作部材２０の突部３８が連結確認部材５２の凹部６０と整合した位置となる。このとき突部３８は係合面５８とは干渉せずに凹部６０内に受け入れられ、連結確認部材５２は施錠操作部材２０にさらに近づいた連結表示位置にまで変位可能となる。連結確認部材５２が連結表示位置になると、接触センサ６２の検知部６４がソケット本体１６の取付用突起３６の頭部３６ａに接触する。接触センサ６２は検知部６４に導電体が接触したことを検知して、外部装置（図示しない）に対して検知信号を送信する。なお、検知部６４が施錠操作部材２０などの他の部材に接触するようにすることもできる。
【００２７】
すなわち当該管継手１においては、施錠操作部材２０が解除位置にあるときには連結確認部材５２が連結表示位置にまで変位することが阻止され、施錠操作部材２０が固定位置にあるときには連結確認部材５２が連結表示位置にまで変位可能となっている。そして、施錠操作部材２０が固定位置にあるときに連結確認部材５２が連結表示位置にまで変位することにより接触センサ６２が検知信号を送信し、この検知信号に基づいて、施錠操作部材２０が固定位置とされてソケット１０とプラグ１２とが連結完了状態となっていることを確認することができる。
【００２８】
連結完了状態において連結確認部材５２が連結表示位置となっている状態（図１５、図１６）においては、施錠操作部材２０を固定位置から解除位置に向かって回動させようとすると、施錠操作部材２０の突部３８が連結確認部材５２の凹部６０の側面に係合する。これにより、施錠操作部材２０が解除位置にまで回動されることが阻止されるようになっている。よって、ソケット１０とプラグ１２との連結を解除するためには、まず連結確認部材５２を取り外すようにする。このような構成により、施錠操作部材２０が誤って操作されること防止できる。
【００２９】
また、図１７に示すように、ソケット本体１６の通路１４内へのプラグ１２の挿入が不十分であり施錠部材１８が施錠状態になっていないときには、連結確認部材５２の脚部５６が施錠部材１８の第１施錠部２８及び第２施錠部３０と干渉して、連結確認部材５２をソケット本体１６に対して取り付けることができない。このような構成により、プラグ１２がソケット１０に対してしっかりと挿入されて仮連結状態となっているかを確認することもできる。
【００３０】
連結確認部材５２は、プラグ１２をソケット１０に連結した後に、施錠操作部材２０が解除位置にある仮連結状態でソケット本体１６に取り付けてもよいし、施錠操作部材２０を固定位置として連結完了状態にしてからソケット本体１６に取り付けてもよい。仮連結状態で取り付けた場合には、連結確認部材５２は、その係合面５８が施錠操作部材２０の突部３８に係合して施錠操作部材２０の上に乗った状態となる。この状態で施錠操作部材２０を固定位置にまで回動させると係合面５８と突起とが干渉しなくなり、連結確認部材５２は自重でソケット本体１６に向かって下方に変位して、接触センサ６２の検知部６４がソケット本体１６の取付用突起３６に接触した連結表示位置となる。
【００３１】
以上に本発明の実施形態について説明をしたが、本発明はこれら実施形態に限定されるものではない。当該管継手１は、食品配管用の管継手であり、上述のようなＵ字状の施錠部材１８と、回転軸線Ｒ周りで回動する施錠操作部材２０とを備える構造とされているが、他の形状の管継手とすることができる。そのような別構造の管継手としては、例えば、施錠部材が継手本体に対して径方向に変位可能に保持された球状の施錠子であり、施錠操作部材が継手本体の外側に配置され長手軸線の方向で摺動可能とされて施錠子に径方向外側から係止するスリーブとしたものが挙げられる。この場合の管継手は、スリーブが施錠子を施錠状態に保持した状態でスリーブを継手本体に対して周方向に回転することにより、連結完了状態となり、この状態で連結確認部材を継手本体に取り付けると、連結確認部材が連結表示位置となって、例えば接触センサがスリーブに接触するなどして検知信号を発するようにすることができる。
【００３２】
また、上記実施形態では、管継手１は施錠操作部材２０が上に位置する状態で使用され、連結確認部材５２はソケット本体１６または施錠操作部材２０に重力の作用により乗った状態とするようにしている。そのため上記実施形態に係る管継手１は、施錠操作部材２０が上に位置する状態でしか使用できないが、バネなどの付勢部材を連結確認部材５２とソケット本体１６との間に取り付けるなどすれば、どのような向きでも使用可能とすることができる。
【００３３】
さらには、上記実施形態では、連結確認部材５２が連結表示位置となり施錠操作部材２０が固定位置にあることを接触センサ６２の検知信号によって表示するようにしているが、他の表示方法とすることもできる。例えば、接触センサに代えて、近接センサや距離センサなどの他のセンサとすることもできる。または、スイッチが作動してＬＥＤが点灯したり、ブザー音が鳴ったりするなどして作業者に直接表示するようにしてもよい。さらには、連結確認部材により隠れていた文字や着色部が連結確認部材が連結表示位置となることにより現れて視認可能となったり、逆に連結確認部材が連結表示位置となることにより文字や着色部が隠れて見えなくなったりするようにすることもできる。
【符号の説明】
【００３４】
１  管継手
１０  ソケット（継手部材）
１２  プラグ（対応継手部材）
１４  通路
１６  ソケット本体（継手本体）
１８  施錠部材
２０  施錠操作部材
２２  開口
２４  第１端部
２６  第２端部
２８  第１施錠部
３０  第２施錠部
３１  連結部
３２  取付用突起
３４  取付ピン
３６  取付用突起
３６ａ  頭部
３８  突部
４０  外周面
４２  テーパ面
４４  係止部
４６  内周面
４８  シール部材
４９  摺動内周面
５０  固定凹部
５１  摺動外周面
５２  連結確認部材
５４  中央部
５６  脚部
５８  係合面
６０  凹部
６２  接触センサ
６４  検知部
６６  貫通孔
６８  リブ
Ｒ  回転軸線
【図１】
2019199924.tif 000003
【図２】
2019199924.tif 000004
【図３】
2019199924.tif 000005
【図４】
2019199924.tif 000006
【図５】
2019199924.tif 000007
【図６】
2019199924.tif 000008
【図７】
2019199924.tif 000009
【図８】
2019199924.tif 000010
【図９】
2019199924.tif 000011
【図１０】
2019199924.tif 000012
【図１１】
2019199924.tif 000013
【図１２】
2019199924.tif 000014
【図１３】
2019199924.tif 000015
【図１４】
2019199924.tif 000016
【図１５】
2019199924.tif 000017
【図１６】
2019199924.tif 000018
【図１７】
2019199924.tif 000019